(57)【要約】　　　（修正有）【課題】防火門本体の枠を分解，組み立て可能に構成され，安全で製造が容易な，新規かつ改良された防火門を提供する。【解決手段】一定間隔をおいて向き合うように配置される二枚の金属板材２，２’の間にダンボールのような紙類を入れて，防火門本体１の四方枠内側でフレーム２０２，２０２’を固定し，防火門本体の周りに互いに凹凸結合される設置溝１０１，１０２が形成され，設置溝には表面に風除け５が設置される枠体３，３’をさし挟み，枠体両側の差込溝３０１に防火門本体の両側金属板材終端が挟まれ，枠体は枠体中央を貫通し，内側のフレームに締結されるボルト４により離脱が防止される。【選択図】　　図５
0003100483.tif 000002
【実用新案登録請求の範囲】
【請求項１】
　一定間隔をおいて向き合うように配置される二枚の金属板材の間にダンボールなどの紙類を入れた後，接着材で二枚の金属板材と紙類を接着して製造される防火門本体と，
　前記防火門本体の四方枠内側に，金属板材で折曲形成される多数の固定弁で固定されるフレームと，
　前記防火門本体の周りに凹凸結合させる設置溝と，
　前記設置溝に差し挟まれ，表面に風除けが設置され，両側の差込溝に前記防火門本体の両側金属板材終端が挟まれる枠体と，
　前記枠体中央を貫通し，内側のフレームに締結されるボルトと，
を含んでなることを特徴とする，防火門。
【請求項２】
　前記枠体の両側の前記差込溝に挟まれる前記金属板材終端を折曲て挟み，前記枠体内側には掛かり弁を形成し，前記掛かり弁が前記金属板材の折曲部にかかるようにし，前記枠体の離脱が防止できることを特徴とする，請求項１に記載の防火門。
【請求項３】
　前記枠体一側に翼弁が形成されることを特徴とする，請求項１または２に記載の防火門。
【考案の詳細な説明】
【技術分野】
【０００１】
　本考案は防火門にかかり，防火門の枠により安全性を高めると同時に防火門を部屋のような室内門としても使用可能にしたものである。
【背景技術】
【０００２】
　一般的に防火門は，図７のように，二枚の金属板材を結束させ製造する。すなわち，二枚の金属板材を各々折曲させた後，結合させ製造する。
【考案の開示】
【考案が解決しようとする課題】
【０００３】
　しかしこのような方法で製造される防火門は，枠も同様に金属材で作られ，その角や端部が非常に鋭いことから，防火門を施工する時，または使用時に事故の主な原因になる。これを解決するためには，角や端部を一々加工する作業をしなければならないため，防火門の生産原価を上昇させるだけでなく，その作業も難しいという問題がある。
【０００４】
　また二枚の金属板材を結束させると一側の金属板材両側に結束用翼弁７０を形成しなければならないが，これは防火門を部屋のような室内門として使用することを難しくする原因である。
【０００５】
　本考案は，従来の防火門が有する上記問題点に鑑みてなされたものであり，本考案の目的は，特に防火門の枠を分解，組み立てることができるように構成し，安全で製造が容易な，新規かつ改良された防火門を提供することである。
【課題を解決するための手段】
【０００６】
　上記課題を解決するため，本考案によれば，一定間隔をおいて向き合うように配置される二枚の金属板材（２，２’）の間にダンボールのような紙類を入れた後，接着材で二枚の金属板材（２，２’）と紙類を接着し，防火門本体（１）を製造することにあたり，前記防火門本体（１）の四方枠内側でフレーム（２０２，２０２’）を用意した後，これを金属板材（２，２’）で折曲形成される多数の固定弁（２０２ａ）で固定し，防火門本体（１）の周りに凹凸結合させる設置溝（１０１，１０２）を形成させ，前記設置溝（１０１，１０２）には表面に風除け（５）が設置される枠体（３，３’）を差し挟み，枠体（３，３’）両側の差込溝（３０１）に防火門本体（１）の両側金属板材（２，２’）終端が挟まれるようにし，上記枠体（３，３’）は枠体（３，３’）中央を貫通し，内側のフレーム（２０２，２０２’）に締結されるボルト（４）により離脱が防止できることを特徴とする，防火門が提供される。
【０００７】
　すなわち，本考案の防火門は，一定間隔をおいて向き合うように配置される二枚の金属板材（２，２’）の間にダンボールなどの紙類を入れた後，接着材で二枚の金属板材（２，２’）と紙類を接着して製造される防火門本体（１）と，前記防火門本体（１）の四方枠内側に，金属板材（２，２’）で折曲形成される多数の固定弁（２０２ａ）で固定されるフレーム（２０２，２０２’）と，前記防火門本体（１）の周りに凹凸結合させる設置溝（１０１，１０２）と，前記設置溝（１０１，１０２）に差し挟まれ，表面に風除け（５）が設置され，両側の差込溝（３０１）に前記防火門本体（１）の両側金属板材（２，２’）終端が挟まれる枠体（３，３’）と，前記枠体（３，３’）中央を貫通し，内側のフレーム（２０２，２０２’）に締結されるボルト（４）と，を含んでなることを特徴とする。
【０００８】
　また，前記枠体（３，３’）の両側の前記差込溝（３０１）に挟まれる前記金属板材（２，２’）終端を折曲て挟み，前記枠体（３，３’）内側には掛かり弁（３０２）を形成し，前記掛かり弁（３０２）が前記金属板材（２，２’）の折曲部（２０１）にかかるようにし，前記枠体（３，３’）の離脱が防止できるように構成することもできる。
【０００９】
　また，前記枠体（３，３’）一側に翼弁（３０３）が形成されるようにしてもよい。
【考案の効果】
【００１０】
　以上説明したように，本考案によれば，防火門本体（１）の枠体（３，３’）を分解，組み立てることができるように構成される。分解，組み立てができることは，枠体（３，３’）を別途に製造できるという意味，すなわち，枠体（３，３’）を防火門本体（１）の金属板材（２，２’）と異種の材質（不燃性合成樹脂材，アルミニウムなど）で製造できるという意味である。これは，枠体（３，３’）の角などを加工することが，圧出や射出にて枠体（３，３’）を成形できるため，従来のように防火門本体（１）の枠体（３，３’）により発生する事故を防止できる効果がある。また，上下左右の区別がない防火門を製造することができるため，出来上がった門は室内にも使用可能な防火門を作ることができるという長所がある。また，枠体（３，３’）と金属板材（２，２’）を折曲部（２０１）および掛かり弁（３０２）に結合すると，その結合作業を容易で迅速にできる効果がある。一方，枠体（３，３’）一側に翼弁（３０３）を形成すると，外門にても使用可能な防火門になる。
【考案を実施するための最良の形態】
【００１１】
　以下に添付図面を参照しながら，本考案にかかる防火門の好適な実施の形態について詳細に説明する。なお，本明細書及び図面において，実質的に同一の機能構成を有する構成要素については，同一の符号を付することにより重複説明を省略する。
【００１２】
　図１は，本考案が適用された防火門の正面図である。図２は，本考案の防火門本体の斜視図である。図３は，本考案の要部拡大断面図である。
【００１３】
　図１〜図３を参照しながら説明する。
　一定間隔をおいて向き合うように配置される二枚の金属板材２，２’間にダンボールのような紙類（図示しない）を入れた後，接着材で二枚の金属板材２，２’と紙類を接着させ，防火門本体１を製造する。
【００１４】
　上記防火門本体１の四方枠内側でフレーム２０２，２０２’を用意し，これを金属板材２，２’で折曲形成される多数の固定弁２０２ａで固定させ，防火門本体１の周りに互いに凹凸結合させる設置溝１０１，１０２を形成させ，上記設置溝１０１，１０２には表面に風除け５が設置される枠体３，３’を差し挟み，枠体３，３’両側の差込溝３０１に防火門本体１の両側金属板材２，２’終端が挟まれるようにし，上記枠体３，３’は枠体３，３’中央を貫通し，内側のフレーム２０２，２０２’に締結されてボルト４により離脱が防止できる。
【００１５】
　図４は，本考案の枠の斜視図である。
　このように構成された本考案は防火門本体１の二枚の金属板材２，２’と枠体３，３’を，枠体３，３’両側の差込溝３０１に結合させ，結合された枠体３，３’を，中央のボルト４で離脱を防止する。
【００１６】
　これにより，枠体３，３’の組み立てと分解を簡便に実施することができるとともに，防火門本体１の金属板材２，２’を従来のように別途に加工しなくても防火門本体１を製造することができる。
【００１７】
　また，前後の金属板材２，２’の間の周りに枠体３，３’を設置することにより，上下左右の区別がない防火門が作られ，上記の通りに四方に枠体３，３’が設置される防火門を門枠組みに設置する時には，枠体３，３’表面中央部にヒンジを設置することができるため，四方に枠体３，３’が設置されても防火門設置には何の問題もない。
【００１８】
　一方，両側の金属板材２，２’の間に用意されるフレーム２０２，２０２’が金属板材２，２’で折曲形成される固定弁２０２ａにより，その位置を固定できるため，防火門本体１の製作が容易になる。
【００１９】
　図５は，本考案の他の一例を示す説明図である。
　枠体３，３’の両側差込溝３０１に挟まれる金属板材２，２’終端を折曲させ差し挟み，枠体３，３’内側には掛かり弁３０２を形成し，掛かり弁３０２が金属板材２，２’の折曲部２０１にかかるようにし枠体３，３’の離脱を防止できることにより，枠体３，３’中央のボルト４が不要になる。
【００２０】
　図６は，本考案の他の一例を示す説明図である。（ａ）は掛かり弁３０２が形成されていない場合を示し，（ｂ）は掛かり弁３０２が形成されている場合を示している。
　上記の枠体３，３’一側には翼弁３０３が形成される。
【００２１】
　本考案は上記のように，防火門本体１の枠体３，３’を分解，組み立てることができるように構成される。
【００２２】
　分解，組み立てができることは，枠体３，３’を別途に製造できるという意味，すなわち，枠体３，３’を防火門本体１の金属板材２，２’と異種の材質（不燃性合成樹脂材，アルミニウムなど）で製造できるという意味である。
【００２３】
　これは，枠体３，３’の角などを加工することが，圧出や射出にて枠体３，３’を成形できるため，従来のように防火門本体１の枠体３，３’により発生する安全事故を防止できる効果がある。
【００２４】
　また，上下左右の区別がない防火門を製造することができるため，出来上がった門は室内にも使用可能な防火門を作ることができる長所がある。
【００２５】
　また，枠体３，３’と金属板材２，２’を折曲部２０１および掛かり弁３０２に結合すると，その結合作業を容易で迅速にできる効果がある。
【００２６】
　一方，枠体３，３’一側に翼弁３０３を形成すると，外門にても使用可能な防火門になる。
【００２７】
　以上，添付図面を参照しながら本考案にかかる防火門の好適な実施形態について説明したが，本考案はかかる例に限定されない。当業者であれば，実用新案登録請求の範囲に記載された技術的思想の範疇内において各種の変更例または修正例に想到し得ることは明らかであり，それらについても当然に本考案の技術的範囲に属するものと了解される。
【産業上の利用可能性】
【００２８】
　本考案は，防火門の枠により安全性を高めると同時に，部屋のような室内門でも使用可能にした防火門に利用可能である。
【図面の簡単な説明】
【００２９】
【図１】本考案が適用された防火門の正面図である。
【図２】本考案の防火門本体の斜視図である。
【図３】本考案の要部拡大断面図である。
【図４】本考案の枠の斜視図である。
【図５】本考案の他の一例を示す説明図である。
【図６】本考案の他の一例を示す説明図である。
【図７】従来の防火門の平面図である。
【符号の説明】
【００３０】
　１：防火門本体
　１０１，１０２：設置溝
　２，２’：金属板材
　２０１：折曲部
　２０２，２０２’：フレーム
　２０２ａ：固定弁
　３，３’：枠
　３０１：差込溝
　３０２：掛かり弁
　３０３：翼弁
　４：ボルト
　５：風除け
【図１】
0003100483.tif 000003
【図２】
0003100483.tif 000004
【図３】
0003100483.tif 000005
【図４】
0003100483.tif 000006
【図５】
0003100483.tif 000007
【図６】
0003100483.tif 000008
【図７】
0003100483.tif 000009